(57)【特許請求の範囲】
【請求項１】
一方の端部にキノコ状の部分（３）を支持する中心のロッド状の導体（２）と、ロッド状の導体を半径方向に間隔をおいて包囲する導電性材料からなる外装（４）と、ロッド状の導体（２）と外装（４）とを空間的に分離する絶縁材料（５）とを備える、特に楽器、マイクロホン等と増幅器、録音装置等を接続するためのプラグにおいて、
前記ロッド状の中心の導体（２）が、プラグのキノコ状の部分（３）と反対を向いている端部で、前記半径方向で両方に突出し、前記導体に対してＴ字型に延びる円筒状の突出部（７）と導電接続されており、
前記半径方向で両方に突出する２つの部位（７ａ、７ｂ）の直径は互いに異なり、
前記外装（４）は、前記２つの部位（７ａ、７ｂ）のうちの細いほうの部位（７ｂ）を、間隔をおいて少なくとも部分的に包囲していて、当該細いほうの部位から電気的に絶縁されている表面領域に対して導電接続され、
前記外装（４）と前記表面領域との間の接続が、前記表面領域の支持もしているＬ字型の導体（６）によって行われ、
前記Ｌ字型の導体の脚部は、その回転軸が前記細いほうの部位（７ｂ）の回転軸と一致し、前記細いほうの部位（７ｂ）の円柱面の一部を構成するように半円筒形に成形されていることを特徴とするプラグ。
【請求項２】
両方の突出部の少なくとも一方がスリットを備えるように構成されていることを特徴とする請求項１に記載のプラグ。
【請求項３】
前記突出部の少なくとも一方に接触ばね（８、９）が付属していることを特徴とする請求項１又は請求項２に記載のプラグ。
【請求項４】
前記接触ばね（８、９）が一方の端部で、突出部の端面にある溝または突出部の半径方向の穴に支承されていることを特徴とする請求項３に記載のプラグ。
【請求項５】
前記両方の突出部が同じ長さであり、一方の突出部の、電気的に絶縁をする材料の外側表面と導電性表面領域の外側表面とは、他方の突出部の導電性表面と同じ半径を有していることを特徴とする請求項１〜４のうちいずれか１項に記載のプラグ。
【請求項６】
前記突出部（７）の軸（１３）を中心として旋回可能であり、突出部で電気接触された状態で電子モジュール（１０）に取り付けられることを特徴とする請求項１〜５のうちいずれか１項に記載のプラグ。
【発明の詳細な説明】
【０００１】
【発明の属する技術分野】
本発明は、一方の端部にキノコ状の部分を支持する中心のロッド状の導体と、ロッド状の導体を半径方向の間隔をおいて包囲する導電性材料からなる外装部と、ロッド状の導体と外装を空間的に分離する絶縁材料とを備える、特に楽器、マイクロホン等と増幅器、録音装置等を接続するためのプラグに関する。
【０００２】
【従来の技術】
このような種類のプラグは、楽器、ハイファイ装置で、特にヘッドホンと接続するため、あるいはその他の多くの利用分野で、以前から知られていて定評がある。楽器、正確に言えば楽器の音響変換器は、ケーブルによってその都度の増幅器、オーディオミキサー、録音機器、サウンド処理装置などと接続されるのが通常である。
【０００３】
ケーブルはプラグを備えており、プラグはこれに合わせて設けられている装置のアウトレットに差し込まれる。このとき原則として、ケーブルが実質的にプラグ軸の方向で装置から導出されるプラグと、ケーブルがプラグ軸に対して実質的に垂直に取り付けられるプラグとがある。いずれの場合でも本来のプラグそのものは同じ構成になっているので、利用状況や演奏者の好みに応じて、両方のケーブルのいずれか一方を備えるケーブルが使用される。
【０００４】
近年、さまざまな理由から、ケーブルが無線区間に次第に取って代わられている。このことは、小型化された送信機が装置に取り付けられ、サウンド処理部、増幅部には、信号が無線によって伝送される、それぞれの楽器について対応する受信機が設けられることを意味している。演奏機器から送信機までの接続部としては、簡素化のために、演奏機器に設けられたアウトレットが用いられており、したがって送信機に設けられるプラグは、従来のケーブルで使用されていたプラグと同じ構成となっている。
【０００５】
【発明が解決しようとする課題】
しかしこの場合、ケーブルによる信号転送の場合とは異なり、プラグ長軸に対する無線装置の向きも１つのクリティカルな量となる。たとえば、きわめて平坦に構成されているエレキギターで、アウトレットの軸がギターの中心面に位置するようにアウトレットが配置されている場合には、送信機もプラグに対して実質的に当該軸の延長上に位置するように配置されるのが望ましい。そうしないと、装置の利用者によってアウトレットから引き抜かれる危険があるからである。
【０００６】
しかしこれとは正反対に、アウトレットがギター面に位置しているのでアウトレットの軸がギターの平面に対して垂直に延びているギターに使用される送信機は、ギターの表面から大きく突出して楽器の演奏を邪魔しないようにするために、プラグ軸に対して同じく実質的に垂直に配置されているのが望ましい。
【０００７】
当然ながら、信号がケーブルを通じて伝送されるような用例も含めて、上記以外にも多数の用例があるが、本発明の意義についてはこのような例を使って説明することにする。
【０００８】
これまで従来技術では、実質的にプラグ軸の方向で構成されて配置されている増幅器と、その代替として、プラグ軸に対して実質的に垂直な平面で構成され、したがってプラグ軸の方向ではわずかなスペースしかとらない増幅器という、２種類の増幅器を備えておくことによって対処していた。
【０００９】
プラグ自体は、差込状態のときに当然アウトレット軸と一致するプラグ軸を中心として、回転対称に構成されており、したがってコンセントの内部で回転可能である。この場合の構成は、端部がキノコ状に構成された中心のロッド状のピンが、電気的に絶縁された状態で、その軸方向に延びる、大部分にわたって導電性の円筒状の外装で包囲されようになっているが、この外装はキノコ状の端部からは間隔をおいて終わっている。このようにして二極接触が可能であり、一方の接触部のキノコ状の構成によって、アウトレットの内部でプラグを摩擦接合により軸方向で固定することも可能である。
【００１０】
三極の変形例も用いられているが、これは多くの場合演奏装置の信号伝送に利用されるのではなく、たとえばステレオ信号を伝送するのに利用されている（ヘッドホンなど）。このプラグは上述したプラグとまったく同様に構成されており、ロッド状のコアおよび円筒状の外側外装に加えて管状の中心導体をさらに有しており、この中心導体は、外側外装とキノコ状の端部の間の軸方向領域にのみ、外部に向かって露出しているので接触可能な表面を有している。
【００１１】
本発明の課題はこのような従来技術に鑑み、送信機、フィルタ等について、異なった構造型式を不要にすることを可能にするプラグ、またはプラグから延びるケーブルを常にその都度の利用ケースに対して最適な方向に設定することを可能にするプラグを提供することである。
【００１２】
【課題を解決するための手段】
本発明によればこの課題は、ロッド状の中心の導体が、プラグのキノコ状の部分と反対を向いている端部で、両方の突出部が異なる大きさの直径を有する、前記導体に対してＴ字型に延びる円筒状の突出部（Ｔ字片）と導電接続されており、外側のスリーブ状の導体は、細いほうの突出部を間隔をおいて少なくとも部分的に包囲していて、当該突出部から電気的に絶縁された状態で保持されるスリーブと導電接続されている、ことによって解決される。
【００１３】
このようにして、電気接触の役割も同時に担うＴ字片で、プラグを軸受で回転可能に保持することが可能であり、この軸受は、送信ユニット、ケーブルシュー、電気フィルタユニット、またはその他の電子モジュールに所望の形態で設けられていてよい。このようにして、プラグが旋回可能に取り付けられているこの構成部品を、プラグの差込時にアウトレット軸に対してどのような所望の角度にでも配置することができ、このときＴ字片は一方では内部に位置するロッド状の導体の電気接触を引き受けるとともに、他方では、多くの場合アースである外部導体の電気接触も引き受ける。
【００１４】
【実施形態】
次に、図面を参照しながら本発明について詳しく説明する。
【００１５】
図１は、本発明のプラグ１を示している。このプラグ１は、アウトレット側の端部に導電性材料からなるほぼキノコ状の部分３が、たとえば硬質はんだ付けによって取り付けられている、導電性のロッド状構造の導体２から実質的に構成されている。
【００１６】
前記アウトレットと反対側の端部はほぼＴ字型の突出部７として構成されており、軸１３を中心として回転可能な状態で、たとえば無線装置（電子モジュール）１０（図５参照）に取り付けられる。
【００１７】
さらにプラグ１は導電性材料からなる外装４を有しており、この外装４（多くの場合はアースとなる）はアウトレット側でキノコ状の部分３に対して、一定の間隔Ａをおいて終わっている（図２）。外装４とロッド状の部分２ないしキノコ状の部分３との間の領域は、非導電性材料（絶縁体）５の鋳込ないし押出被覆によって電気的に絶縁されているので、両方の導電性の部分は互いに電気的に分離されている。
【００１８】
外装４には、図３に示すように、実質的にＬ字型の接触片６が取り付けられており、この接触片６は外装４と一体的に構成されるか、または外装４とはんだ付け、導電性接着もしくはその他のやり方で接続されている。外装４から離れるように突出しているＬ字型の接触部分６の脚部は、平坦な形状を有しているのではなく、回転軸が、突出部７のうち、直径が小さいほうの突出部７ｂの軸１３（図１）と一致する円柱面の一部を構成するように、半円筒形に成形されている。このボルト状の突出部７は、前述したＴ字片をロッド状の導体２に形成しており、直径が大きいほうの突出部７ａは、ロッド状の導体２の別の接触部としての役目もする。Ｌ字型の接触片６の外面は、直径が大きいほうのＴ字片の突出部７ａの外套面と同心的に延びており、もしくはこれと一直線上に並んで延びており、導電性のない材料の押出被覆を介して、直径が小さいほうの突出部７ｂと機械的に連結されているが、このとき外側の表面は露出しているので、そこで外装４の接触（例えばアースとしての）を行うことができる。
【００１９】
電気的に絶縁をする非導電性材料５で導体２を押出被覆した後、有利には、１回のステップでロッド状の導体２を押出被覆した後、プラグ１は図１に示す構造に形成されており、Ｔ字片の両方の突出部７によって、相応に成形された支承部に取り付けることができ、この支承部でプラグ１は軸１３を中心として回転可能に保持されるとともに、許容されるどの位置でも電気的に接触される。
【００２０】
前記Ｔ字片の接触および構成の形状と種類は、図示したように行わなくてもよく、さまざまな形に改変することができる。たとえば、両方の突出部に異なる直径または異なる長さを与えて、回転支承部への正しい挿入が保証されるようにすることが可能である。また、Ｌ字型の接触片６の接触脚部は円筒形のスリーブとして構成されていてもよく、それにより、円周の大部分または円周の全体にわたって電気接触させることができる。
【００２１】
他の一つの実施形態では、Ｔ字片の両方の突出部７の回りにそれぞればねを配置し、一方の突出部の端部にある少なくとも１つのスリットの中に定着させ、それにより、プラグ１が回転可能に取り付けられる装置や構成部品で、プラグ１の好都合な位置を保証することが意図される。
【００２２】
この変形例は図４に図示されている。２つのばね８，９が突出部７のそれぞれ一方に付属しており、一方の端部で、突出部７の端面にある半径方向のスリットに支承、保持されている。ばねの他方の端部は、円筒状の突出部表面から実質的に接線方向に突出しており、プラグ１が回転可能に支承される装置で、対応する切欠きに通すことができる。両方の端部の間では、ばね８，９は渦巻状に、および／または螺旋に沿って突出部７の周囲に配置されており、そのようにしてプラグ１がどのような位置にあっても摩擦接合的かつ良好な接触状態で、対応する受容部の中に両方の端部で位置することができる。
【００２３】
図５は、無線装置１０への本発明のプラグの取付状態を断面で純然たる模式図として示している。本発明に基づいて構成されたプラグ１は突出部７によって軸受１１で旋回可能に支承されており、図５には見ることができないばね８，９またはその他のばね作用のある部材によって図示した位置に押圧されている。プラグ１は、このばね力に抗して容易に矢印１２の方向へ旋回させることができ、それによって無線装置１０の位置を、プラグ１が差し込まれるアウトレットの軸に関して、その都度の必要性に合わせて調節することができる。なお無線装置１０のこれ以外の構造は本発明にとって関係がないので、ここでは説明しない。
【００２４】
本発明は図示した実施形態に限定されるものではなく、さまざまな形に改変することができる。たとえば、突出部７は場合によりスリットを備えるように構成されていてよく、それによって半径方向で弾性をもたせ、軸受により良く当接させることができ、このことは、一方ではより良い接触につながるとともに、他方では摩擦接合によって、選択されたプラグ１の位置がある程度固定されることにつながる。この場合、プラグ１を回せば接触部もそのたびにきれいになる。また、装置に突出部の取外し可能な固定部を設け、それにより、その装置を別の楽器等と使用するまで、目下の用途にとって好都合であると考えられる角度位置を恒常的に維持することも可能である。
【００２５】
使用する材料は通常のプラグに使用される材料であり、ここでは特に説明する必要をみない。本発明を２極ではなく、３極や４極に適用することは、当業者であれば本発明を知ったうえで問題なく実施可能であり、したがってここではこれ以上説明しない。
【図面の簡単な説明】
【図１】本発明の一実施形態によるプラグを軸受なしで示す斜視図である。
【図２】本発明によるプラグを示す断面図である。
【図３】本発明によるプラグを絶縁外装なしで示す模式図である。
【図４】他の実施形態を示す斜視図である。
【図５】取付状態の一例を示す断面図である。
【符号の説明】
１  プラグ
２  導体
３  部分
４  外装
５  絶縁体
６  接触片
７  突出部
８  ばね
９  ばね
【図１】
0004102617.tif 000002
【図２】
0004102617.tif 000003
【図３】
0004102617.tif 000004
【図４】
0004102617.tif 000005
【図５】
0004102617.tif 000006